(57)【特許請求の範囲】
【請求項１】
凝縮タンク（２０）と、および前記凝縮タンク（２０）の上方に設けられた蒸発機構（４
０）と、を含む殺虫剤農薬生産地の固形廃棄土壌浸出液の調製装置であって、
前記蒸発機構（４０）は、中心軸を中心として、径方向に沿って順次溶媒蒸発器（４２）
および水蒸発器（４１）が周方向に設けられ、前記溶媒蒸発器（４２）の内部に第２の加
熱板（４２１）および第２の熱伝達板（４２２）が設けられ、外部に溶媒蒸気導管（４４
）が設けられ、前記水蒸発器（４１）の内部に第１の加熱板（４１１）および第１の熱伝
達板（４１２）が設けられ、外部に水蒸気導管（４３）が連通し、
前記凝縮タンク（２０）の頂部の中心に蒸気プレス機構（３０）が設けられ、前記蒸気プ
レス機構（３０）の位置に対応する凝縮タンク（２０）の内壁にらせん状に延伸する凝縮
板（２１）が設けられ、前記蒸気プレス機構（３０）の位置に対応する凝縮タンク（２０
）の外壁に凝縮管（２３）が設けられ、
前記蒸気プレス機構（３０）に蒸気排気穴（３１１）が設けられたサンプル容器（３１）
が設けられ、前記サンプル容器（３１）の頂部に蒸気リングカラム（３３）が挿入され、
前記サンプル容器（３１）の錐状の底部中心にくり抜いた貫通穴（３７１）を備えた液体
収集カバー（３７）が接続され、
前記蒸気リングカラム（３３）の表面に蒸気微細穴（３３３）が設けられ、中心軸に二次
加熱カラム（３４）が設けられ、頂部にシールリングカバー（３３１）が設けられ水蒸気
導管（４３）と溶媒蒸気導管（４４）が連通し、
サンプル容器（３１）の底部から凝縮した浸出液は、液体収集カバー（３７）で収集され
た後、凝縮板（２１）の下縁に設けられたガイドストリップ（２８）に沿って、凝縮タン
ク（２０）の底部中心に設けられガイドカバー（２７）が設けられた溶液導出管（２６）
に流入し、
ガイドストリップ（２８）から滑り落ちた浸出液は、前記溶液導出管（２６）の外部に設
けられた環状ガイドシェル（２４）で収集された後、環状ガイド管（２５）に流入する、
ことを特徴とする殺虫剤農薬生産地の固形廃棄土壌浸出液の調製装置。
【請求項２】
前記凝縮タンク（２０）の下方に支持ベース（１０）が設けられ、上方に支持板（１４）
が設けられ、外側に支持カラム（１２）を介して支持ベース（１０）に接続された支持リ
ング（１１）が設けられ、前記支持リング（１１）の頂部に支持油圧シリンダー（１３）
が設けられ、前記支持油圧シリンダー（１３）内の油圧ロッドの頂部が前記支持板（１４
）の底部に固定的に接続される、ことを特徴とする請求項１に記載の調製装置。
【請求項３】
前記サンプル容器（３１）の頂部に可動シールカバー（３２）が設けられ、前記サンプル
容器（３１）の内部に蒸気リングカラム（３３）に嵌設された環状サンプル押し板（３５
）が設けられ、前記蒸気リングカラム（３３）と水蒸気導管（４３）および溶媒蒸気導管
（４４）との接続部に溶媒連通リング（３６）が設けられる、ことを特徴とする請求項２
に記載の調製装置。
【請求項４】
前記可動シールカバー（３２）と同一平面にあるサンプル容器（３１）の外壁に外側シー
ルリング（３９）が設けられ、前記外側シールリング（３９）の下端に外側シールリング
溝（３９１）が設けられ、前記凝縮タンク（２０）の頂部に外側シールリング溝（３９１
）内に拘束されたシールフィットリング（２０２）が設けられる、ことを特徴とする請求
項３に記載の調製装置。
【請求項５】
前記水蒸発器（４１）に第１の定圧弁（４１５）、第１の電気制御弁（４３１）および第
１の空気圧センサー（４１４）が設けられ、前記溶媒蒸発器（４２）に第２の定圧弁（４
２５）、第２の電気制御弁（４４１）および第２の空気圧センサー（４２４）が設けられ
る、ことを特徴とする請求項１に記載の調製装置。
【請求項６】
請求項１から５のいずれか１項に記載の調製装置を使用して土壤浸出液を調製する方法で
あって、
Ｓ１、土壤サンプルを３０〜４５℃の低温で乾燥させ、粉末状に粉砕し、砂利雑草の粒子
を濾過し除去するステップと、
Ｓ２、処理された土壤サンプルを前記サンプル容器（３１）の内部に入れ、蒸気リングカ
ラム（３３）をサンプル容器（３１）内に押し込み、次に環状サンプル押し板（３５）に
より土壤サンプルの頂部を押圧するステップと、
Ｓ３、前記水蒸発器（４１）内に純水を注入し、溶媒蒸発器（４２）の内部に混合液を注
入し、前記混合液は質量濃度５０〜９５％のアルコールと質量濃度１０〜２０％のアセト
ンが５:１の質量比で混合されて構成されるステップと、
Ｓ４、第１の加熱板（４１１）および第２の加熱板（４２１）を始動して加熱を開始し、
水蒸発器（４１）内の圧力を０．１８〜０．２２ＭＰａに制御し、溶媒蒸発器（４２）内
の圧力を０．１４〜０．１６ＭＰａに制御するステップと、
Ｓ５、まず水蒸発器（４１）の第１の電気制御弁（４３１）を開き、サンプル容器（３１
）内に高圧蒸気を１０〜１５ｍｉｎ通気し、そして溶媒蒸発器（４２）の第２の電気制御
弁（４４１）を開き、サンプル容器（３１）内に蒸発溶媒を通気するステップと、
Ｓ６、高圧蒸気を蒸発溶媒を混合してサンプル容器（３１）内に３０〜４５ｍｉｎ通気し
、このときサンプル容器（３１）温度を７５〜８５℃に制御するステップと、
Ｓ７、順次第２の電気制御弁（４４１）、第１の電気制御弁（４３１）を閉じ、１５〜２
０ｍｉｎ冷却するステップと、
Ｓ８、外側排液管（２５１）と導出排液管（２６１）によって浸出液を収集し、静置し遠
心分離して上澄み液を取得し、標準を満たす浸出液を得るステップと、
を含むことを特徴とする方法。
【発明の詳細な説明】
【技術分野】
【０００１】
本発明は、土壤検出の技術分野に関し、具体的には殺虫剤農薬生産地の固形廃棄土壌浸出
液の調製装置および方法に関する。
【背景技術】
【０００２】
殺虫剤農薬生産地の土壤毒性を測定する実験では、土壤浸出液を抽出する必要があるが、
現在、ある浸出液抽出装置の抽出工程は、抽出工程が煩雑で抽出が不完全であるという欠
点があり、試験結果のばらつきが大きくなり、浸出液の純度と抽出の徹底性が実験の正確
性に影響を与える。
【発明の概要】
【０００３】
上記の目的を達成するために、本発明は、殺虫剤農薬生産地の固形廃棄土壌浸出液の調製
装置、前記装置に応じて設計された対応の使用方法を提供し、低不純物および高収率の土
壤浸出液を調製し、具体的な技術的解決策は以下の通りである。
【０００４】
一、土壤浸出液の調製装置
本発明によって設計された殺虫剤農薬生産地の固形廃棄土壌浸出液の調製装置は、凝縮タ
ンク、および前記凝縮タンクの上方に設けられた蒸発機構を含む。
前記蒸発機構は、中心軸を中心として、径方向にそって順次溶媒蒸発器および水蒸発器が
周方向に設けられ、前記溶媒蒸発器の内部に第２の加熱板および第２の熱伝達板が設けら
れ、外部に溶媒蒸気導管が連通され、前記水蒸発器の内部に第１の加熱板および第１の熱
伝達板が設けられ、外部に水蒸気導管が連通される。
前記凝縮タンクの頂部の中心に蒸気プレス機構が設けられ、前記蒸気プレス機構の位置に
対応する凝縮タンクの内壁にらせん状に延伸する凝縮板が設けられ、前記蒸気プレス機構
の位置に対応する凝縮タンクの外壁に凝縮管が設けられ、
前記蒸気プレス機構は、蒸気排気穴を備えたサンプル容器を含み、前記サンプル容器の頂
部に蒸気リングカラムが挿入され、前記サンプル容器の錐状底部の中心にくり抜いた貫通
穴を備えた液体収集カバーが接続される。
前記蒸気リングカラムの表面に蒸気微細穴が設けられ、中心軸に二次加熱カラムが設けら
れ、頂部にシールリングカバーが設けられ水蒸気導管および溶媒蒸気導管に連通する。
サンプル容器の底部に凝縮した浸出液が液体収集カバーで収集された後、凝縮板の下縁に
設けられたガイドストリップに沿って凝縮タンクの底部中心に設けられガイドカバーを備
えた溶液導出管に流入する。
ガイドストリップから滑り落ちた浸出液が前記溶液導出管の外部に設けられた環状ガイド
シェルで収集された後、環状ガイド管に流入する。
【０００５】
本発明の一態様として、前記凝縮タンクの下方に支持ベースが設けられ、上方に支持板が
設けられ、外側に支持カラムを介して支持ベースに接続された支持リングが設けられ、前
記支持リングの頂部に支持油圧シリンダーが設けられ、前記支持油圧シリンダー内の油圧
ロッド頂部が前記支持板の底部に固定的に接続される。
本発明の一態様として、前記サンプル容器の頂部に可動シールカバーが設けられ、前記サ
ンプル容器の内部、蒸気リングカラムに嵌設された環状サンプル押し板が設けられ、前記
蒸気リングカラムの水蒸気導管および溶媒蒸気導管との接続部に溶媒連通リングが設けら
れる。
【０００６】
本発明の一態様として、前記可動シールカバーと同一平面にあるサンプル容器の外壁に外
側シールリングが設けられ、前記外側シールリングの下端に外側シールリング溝が設けら
れ、前記凝縮タンクの頂部に外側シールリング溝内にしっかりと拘束されたシールフィッ
トリングが設けられる。
【０００７】
本発明の一態様として、前記水蒸発器上に第１の定圧弁、第１の電気制御弁および第１の
空気圧センサーが設けられ、前記溶媒蒸発器上に第２の定圧弁、第２の電気制御弁および
第２の空気圧センサーが設けられる。
【０００８】
本発明の一態様として、前記支持板上に蒸気管固定穴が設けられる。
【０００９】
本発明の一態様として、前記凝縮タンクの頂部に圧力逃がし弁が固定的に設けられ、前記
凝縮タンクの外壁に凝縮管を被覆する凝縮保護シェルが設けられ、前記凝縮タンクの内壁
に疎水性耐摩耗コート層がメッキされる。
【００１０】
本発明の一態様として、前記可動シールカバーの内壁の下端に内側密封リングが設けられ
、前記内側密封リングが可動シールカバーの下端よりも低くなるように下向きに延伸し、
前記内側密封リングの外側面にシールリングを備えた内側密封リング溝が設けられる。
【００１１】
二、土壤浸出液の調製方法
本発明によって設計された土壤浸出液調製の方法は、
Ｓ１、土壤サンプルを３０〜４５℃の低温で乾燥させ、粉末状に粉砕し、砂利雑草の粒子
を濾過し除去するステップと、
Ｓ２、処理された土壤サンプルを前記サンプル容器の内部に入れ、蒸気リングカラムをサ
ンプル容器内に押し込み、環状サンプル押し板によりサンプル頂部をしっかりと押圧する
ステップと、
Ｓ３、前記水蒸発器内に純水を注入し、溶媒蒸発器の内部に混合液を注入し、前記混合液
は質量濃度５０〜９５％のアルコールと質量濃度１０〜２０％のアセトンが５:１の質量
比で混合されて構成されるステップと、
Ｓ４、第１の加熱板および第２の加熱板を始動して加熱し、水蒸発器内の圧力を０．１８
〜０．２２ＭＰａに制御し、溶媒蒸発器内の圧力を０．１４〜０．１６ＭＰａに制御する
ステップと、
Ｓ５、まず水蒸発器の第１の電気制御弁を開き、サンプル容器内に高圧蒸気を１０〜１５
ｍｉｎ通気し、次に溶媒蒸発器の第２の電気制御弁を開き、サンプル容器内に蒸発溶媒を
通気するステップと、
Ｓ６、高圧蒸気および蒸発溶媒を混合してサンプル容器内に３０〜４５ｍｉｎ通気し、こ
のときサンプル容器の温度を７５〜８５℃に制御するステップと、
Ｓ７、順次第２の電気制御弁、第１の電気制御弁を閉じ、１５〜２０ｍｉｎ冷却するステ
ップと、
Ｓ８、外側排液管と導出排液管から排出した浸出液を収集し、静置し遠心分離して上澄み
液を得、標準を満たす浸出液を取得するステップと、を含む。
【００１２】
従来の土壤浸出液の調製装置と比較すると、本発明の有益な効果は以下の通りである。
本発明は、高圧蒸気ジェットフロー溶解法を使用して、測定する土壤サンプル中の殺虫剤
農薬溶解を抽出し、高効率かつ高速で土壤サンプル中の抽出組成を均一かつ十分に溶解す
ることができるだけでなく、高圧蒸気の温度を良好に制御し、抽出組成が高温によって分
解されないようにして、検出実験の正確性を確保する。
【図面の簡単な説明】
【００１３】
【図１】本発明の正面図である。
【図２】図１の上面図である。
【図３】図１のＡ-Ａ断面図である。
【図４】図１の部分図Ｂである。
【図５】図１の部分図Ｃである。
【図６】図１の部分図Ｄである。
【図７】図１の部分図Ｅである。
【００１４】
［符号の説明］
１０      支持ベース
１１      支持リング
１２      支持カラム
１３      支持油圧シリンダー
１４      支持板
１４１    蒸気管固定穴
２０      凝縮タンク
２０１    サンプル収容固定穴
２０２    シールフィットリング
２１      凝縮板
２２      凝縮保護シェル
２３      凝縮管
２４      環状ガイドシェル
２５      環状ガイド管
２５１    外側排液管
２６      溶液導出管
２６１    導出排液管
２７      ガイドカバー
２７１    ガイドカバー貫通穴
２８      ガイドストリップ
２９      圧力逃がし弁
３０      蒸気プレス機構
３１      サンプル容器
３１１    蒸気排気穴
３２      可動シールカバー
３３      蒸気リングカラム
３３１    シールリングカバー
３３２    蒸気進入ポート
３３３    蒸気微細穴
３４      二次加熱カラム
３５      環状サンプル押し板
３６      溶媒連通リング
３６１    溶媒進入ポート
３７      液体収集カバー
３７１    くり抜いた貫通穴
３８      内側密封リング
３８１    内側密封リング溝
３９      外側シールリング
３９１    外側シールリング溝
４０      蒸発機構
４１      水蒸発器
４１１    第１の加熱板
４１２    第１の熱伝達板
４１３    蒸気排出ポート
４１４    第１の空気圧センサー
４１５    第１の定圧弁
４２      溶媒蒸発器
４２１    第２の加熱板
４２２    第２の熱伝達板
４２３    溶媒排出ポート
４２４    第２の空気圧センサー
４２５    第２の定圧弁
４３      水蒸気導管
４３１    第１の電気制御弁
４４      溶媒蒸気導管
４４１    第２の電気制御弁
【発明を実施するための形態】
【００１５】
本発明によって達成される方法および効果をさらに説明するために、以下、本発明の技術
的解決策を、添付の図面と併せて明確かつ完全に説明する。
【００１６】
実施例１
実施例１は、主に本発明によって設計された土壤浸出液調製装置の具体的な構造を説明す
るが、具体的な内容は以下の通りである。
図１に示すように、本発明によって設計された殺虫剤農薬生産地の固形廃棄土壌浸出液の
調製装置は、凝縮タンク２０、および前記凝縮タンク２０の上方に設けられた蒸発機構４
０を含む。
【００１７】
図４に示すように、前記蒸発機構４０は中心軸を中心として径方向にそって順次溶媒蒸発
器４２および水蒸発器４１が周方向に設けられ、前記溶媒蒸発器４２の内部に第２の加熱
板４２１および第２の熱伝達板４２２が設けられ、外部に溶媒蒸気導管４４が連通され、
前記水蒸発器４１の内部に第１の加熱板４１１および第１の熱伝達板４１２が設けられ、
外部に水蒸気導管４３が連通される。
図１に示すように、前記凝縮タンク２０の頂部中心に蒸気プレス機構３０が設けられ、前
記蒸気プレス機構３０の位置に対応する凝縮タンク２０の内壁にらせん状に延伸する凝縮
板２１が設けられ、前記蒸気プレス機構３０の位置に対応する凝縮タンク２０の外壁に凝
縮管２３が設けられ、
前記蒸気プレス機構３０は、蒸気排気穴３１１を備えたサンプル容器３１を含み、前記サ
ンプル容器３１の頂部に蒸気リングカラム３３が挿入され、前記サンプル容器３１の錐状
底部中心に、くり抜いた貫通穴３７１を備えた液体収集カバー３７が接続される。
前記蒸気リングカラム３３の表面に蒸気微細穴３３３が設けられ、中心軸に二次加熱カラ
ム３４が設けられ、頂部にシールリングカバー３３１が設けられ水蒸気導管４３および溶
媒蒸気導管４４と連通する。
サンプル容器３１の底部から凝縮した浸出液が液体収集カバー３７で収集された後、凝縮
板２１の下縁に設けられたガイドストリップ２８に沿って凝縮タンク２０の底部中心に設
けられガイドカバー２７を備えた溶液導出管２６に流入する。
ガイドストリップ２８から滑り落ちた浸出液は、前記溶液導出管２６の外部に設けられた
環状ガイドシェル２４で収集された後、環状ガイド管２５に流入する。
具体的には、前記凝縮タンク２０の下方に支持ベース１０が設けられ、上方に支持板１４
が設けられ、外側に支持カラム１２を介して支持ベース１０に接続された支持リング１１
が設けられ、前記支持リング１１の頂部に支持油圧シリンダー１３が設けられ、前記支持
油圧シリンダー１３内の油圧ロッド頂部が前記支持板１４の底部に固定的に接続される。
具体的には、前記サンプル容器３１の頂部に可動シールカバー３２が設けられ、前記サン
プル容器３１の内部に蒸気リングカラム３３に嵌設された環状サンプル押し板３５が設け
られ、前記蒸気リングカラム３３の水蒸気導管４３および溶媒蒸気導管４４との接続部に
溶媒連通リング３６が設けられる。
【００１８】
具体的には、図５を参照して、前記可動シールカバー３２と同一平面にあるサンプル容器
３１外壁に外側シールリング３９が設けられ、前記外側シールリング３９の下端に外側シ
ールリング溝３９１が設けられ、前記凝縮タンク２０の頂部に外側シールリング溝３９１
内にしっかりと拘束されたシールフィットリング２０２が設けられる。
具体的には、前記水蒸発器４１上に第１の定圧弁４１５、第１の電気制御弁４３１および
第１の空気圧センサー４１４が設けられ、前記溶媒蒸発器４２上に第２の定圧弁４２５、
第２の電気制御弁４４１および第２の空気圧センサー４２４が設けられる。
具体的には、前記支持板１４上に蒸気管固定穴１４１が設けられる。
具体的には、前記凝縮タンク２０の頂部に圧力逃がし弁２９が固定的に設けられ、前記凝
縮タンク２０の外壁に凝縮管２３を被覆する凝縮保護シェル２２が設けられ、前記凝縮タ
ンク２０の内壁に疎水性の耐摩耗コート層がメッキされる。
具体的には、前記可動シールカバー３２の内壁の下端に内側密封リング３８が設けられ、
前記内側密封リング３８が可動シールカバー３２の下端よりも低くなるように下向きに延
伸し、前記内側密封リング３８の外側面にシールリングを備えた内側密封リング溝３８１
が設けられる。
【００１９】
実施例２
実施例２は実施例１に記載の調製装置を基になされたものであり、その目的は本発明によ
って設計された土壤浸出液の調製方法を説明することである。
本発明によって設計された土壤浸出液調製の方法は、
Ｓ１、土壤サンプルを３０℃の低温で乾燥させ、粉末状に粉砕し、砂利雑草の粒子を濾過
し除去するステップと、
Ｓ２、処理された土壤サンプルを前記サンプル容器３１の内部に入れ、蒸気リングカラム
３３をサンプル容器３１内に押し込み、環状サンプル押し板３５によりサンプルの頂部を
しっかりと押圧するステップと、
Ｓ３、前記水蒸発器４１内に純水を注入し、溶媒蒸発器４２の内部に混合液を注入し、前
記混合液は、質量濃度５０％のアルコールと質量濃度１０％のアセトンが５:１の質量比
で混合されて構成されるステップと、
Ｓ４、第１の加熱板４１１および第２の加熱板４２１を始動して加熱し、水蒸発器４１内
の圧力を０．１８ＭＰａに制御し、溶媒蒸発器４２内の圧力を０．１４ＭＰａに制御する
ステップと、
Ｓ５、まず水蒸発器４１の第１の電気制御弁４３１を開き、サンプル容器３１内に高圧蒸
気を１０ｍｉｎ通気し、次に溶媒蒸発器４２の第２の電気制御弁４４１を開き、サンプル
容器３１内に蒸発溶媒を通気するステップと、
Ｓ６、高圧蒸気と蒸発溶媒を混合してサンプル容器３１内に３０ｍｉｎ通気し、このとき
サンプル容器３１の温度を７５℃に制御するステップと、
Ｓ７、順次第２の電気制御弁４４１、第１の電気制御弁４３１を閉じ、１５ｍｉｎ冷却す
るステップと、
Ｓ８、外側排液管２５１および導出排液管２６１から排出された浸出液を収集し、静置し
遠心分離して上澄み液を得、標準を満たす浸出液を取得するステップと、を含む。
【００２０】
実施例３
実施例３は実施例２に記載の調製方法を基になされたものであり、主に別の異なるパラメ
ータ下での調製方法を説明する。
本発明によって設計された別のパラメータ下での土壤浸出液の調製方法は、
Ｓ１、土壤サンプルを４５℃の低温で乾燥させ、粉末状に粉砕し、砂利雑草の粒子を濾過
し除去するステップと、
Ｓ２、処理された土壤サンプルを前記サンプル容器３１の内部に入れ、蒸気リングカラム
３３をサンプル容器３１内に押し込み、環状サンプル押し板３５によりサンプルの頂部を
しっかりと押圧するステップと、
Ｓ３、前記水蒸発器４１内に純水を注入し、溶媒蒸発器４２内に混合液を注入し、前記混
合液は質量濃度９５％のアルコールと質量濃度２０％のアセトンが５:１の質量比で混合
されて構成されるステップと、
Ｓ４、第１の加熱板４１１および第２の加熱板４２１を始動し加熱して、水蒸発器４１内
の圧力を０．２２ＭＰａに制御し、溶媒蒸発器４２内の圧力を０．１６ＭＰａに制御し、
Ｓ５、まず水蒸発器４１の第１の電気制御弁４３１を開き、サンプル容器３１内に高圧蒸
気を１５ｍｉｎ通気し、次に溶媒蒸発器４２の第２の電気制御弁４４１を開き、サンプル
容器３１内に蒸発溶媒を通気するステップと、
Ｓ６、高圧蒸気と蒸発溶媒を混合してサンプル容器３１内に４５ｍｉｎ通気し、このとき
サンプル容器３１の温度を８５℃に制御するステップと、
Ｓ７、順次第２の電気制御弁４４１、第１の電気制御弁４３１を閉じ、２０ｍｉｎ冷却す
るステップと、
Ｓ８、外側排液管２５１および導出排液管２６１から排出した浸出液を収集し、静置し遠
心分離して上澄み液を得、標準を満たす浸出液を取得するステップと、を含む。
【００２１】
実験例
本実験例は、上記実施例２に記載の調製方法を基になされたものであり、発明の実際の応
用効果を説明することを目的とする。土壤中の殺虫剤の浸出効率は、土壤中の残存殺虫剤
の量によって示され得、殺虫剤の残存量が少ないほど、浸出液の抽出効率が高くなる。殺
虫剤の残存量は動物実験で直観に表現することができるため、試験方法はこのような考え
に基づいて設計される。
本実験例で使用される土壤は人工的に調製した実験土壤であり、その組成は具体的に表１
に示される。
表１  実験土壤の組成および割合
【００２２】
0006924344.tif 000002
【００２３】
本実験例で使用される動物モデルの構築方法は次の通りである。
天津大環ミミズ工場から導入されたシマミミズ（Ｅ．ｆｅｔｉｄａ）を、人工環境（温度
２０±２℃、湿度８０％±２、光照射４００〜８００Ｌｕｘ、明暗比１０：１４）で７日
間飼育した。実験中、明らかな生殖リングを備えた３００〜５００ｍｇの健康な生後６ヶ
月のミミズを使用した。
本実験では、ネオニコチノイド系殺虫剤に含まれるイミダクロプリドを実験用殺虫剤とし
て使用し、その情報は表２に示される。
表２  殺虫剤情報
【００２４】
0006924344.tif 000003
【００２５】
比較組：
本実験例では、従来の抽出方法で調製された土壤浸出液を比較組とし、具体的な調製方法
は次の通りである。
実験土壤と濃度２ｍｇ／ｋｇのイミダクロプリドを混合し土壤サンプルとして、６０℃で
０．５ｈ乾燥した。乾燥した後の土壤サンプルを乳鉢で粉砕し、次に２０メッシュのふる
いにかけ、ふるいに残った土壌を再度粉砕してから再びふるいにかけた。十分に粉砕し均
一に混合した土壤サンプルに水を加えて混合し、超音波で１５ｍｉｎ浸出・抽出した後、
４０００ｒ／ｍｉｎの速度で１０ｍｉｎ遠心分離し、上澄み液を０．２２μｍのフィルタ
に通過させた。
浸出液を抽出した土壤サンプル５００ｇを１Ｌのビーカーに入れ、無薬人工土壌に２４時
間飼いならしたミミズ１０匹を入れ、最後に人工気候ボックスに入れ、１４日後ミミズの
死亡数と中毒状況を確認した。
【００２６】
実験組：
本実験例では、本願の調製方法で調製された土壤浸出液を実験組とし、実験組の実験土壤
も濃度２ｍｇ／ｋｇのイミダクロプリドと混合し、異なる浸出液調製パラメータに応じて
、実験組を以下の３組に分けた：
実験組１：水蒸発器４１内の圧力を０．１８ＭＰａに制御し、溶媒蒸発器４２内の圧力を
０．１４ＭＰａに制御し、高圧蒸気の換気時間を１０ｍｉｎとし、混合蒸気の通気時間を
３０ｍｉｎとする、
実験組２：水蒸発器４１内の圧力を０．２２ＭＰａに制御し、溶媒蒸発器４２内の圧力を
０．１６ＭＰａに制御し、高圧蒸気の換気時間を１０ｍｉｎとし、混合蒸気の通気時間を
３０ｍｉｎとする、
実験組３：水蒸発器４１内の圧力を０．２２ＭＰａに制御し、溶媒蒸発器４２内の圧力を
０．１６ＭＰａに制御し、高圧蒸気の換気時間を１５ｍｉｎとし、混合蒸気の通気時間を
４５ｍｉｎとする。
各実験組では、浸出液を抽出した土壤サンプル５００ｇをビーカー１Ｌに入れ、無薬人工
土壌で２４時間飼育したミミズ１０匹を入れ、最後に人工気候ボックスに入れ、１４日後
ミミズの死亡数と中毒状況を確認した。
浸出液を抽出した実験土壤中の殺虫剤の抽出率を計算し、結果を表３に示す。
【００２７】
0006924344.tif 000004
【００２８】
浸出液を抽出した実験土壤中の残存殺虫剤のミミズ成長と繁殖に対する影響の具体的なデ
ータを表４に示す。
表４  残存殺虫剤のミミズの成長と繁殖に対する影響
【００２９】
0006924344.tif 000005
【００３０】
表３と表４のデータから分かるように、従来の土壤浸出液抽出法を使用した比較組では、
殺虫剤の抽出率は約４６．６％であるのに対して、本発明によって設計された土壤浸出液
の抽出法を使用した実験組では、殺虫剤の抽出率が８５％を上回り、実験結果が最も良い
実験組３では、殺虫剤の抽出率が９３．２％に達した。これは、従来の土壤浸出液の抽出
法と比較して、本発明の抽出効率が大幅に改善されることを示している。
表４中の実験組１と実験組２のデータを比較すると、換気時間が同じである場合、通気圧
力が大きいほど、ミミズの体重と繁殖に対する影響が小さくなり、これは、実験土壤中の
殺虫剤の残存量が空気圧力の増加に従って減少することが分かる。
表４中の実験組２と実験組３のデータを比較すると、通気圧力が同じである場合、換気時
間が長いほど、ミミズの体重と繁殖に対する影響が小さくなり、これは、実験土壤中の殺
虫剤の残存量が換気時間の増加に従って減少することが分かる。
【００３１】
要するに、以上の実験データから分かるように、本発明によって設計された土壤浸出液抽
出方法は、従来方法と比較すると、殺虫剤の抽出率がより高く、処理された土壤中の殺虫
剤残存量がより少ないため、高い応用価値がある。
【要約】      （修正有）【課題】浸出液抽出装置の抽出工程は、抽出工程が煩雑で抽出が不完全であるという欠点があり、試験結果のばらつきが大きくなり、浸出液の純度と抽出の徹底性が実験の正確性に影響を与える。【解決手段】本発明は、土壤検出の技術分野に関し、具体的には、殺虫剤農薬生産地の固形廃棄土壌浸出液の調製装置および方法に関し、本発明の調製装置は、凝縮タンク、および前記凝縮タンクの上方に設けられた蒸発機構を含み、前記凝縮タンクが蒸発機構と蒸気プレス機構を介して接続され、本発明の調製方法は、高圧蒸気ジェットフロー溶解法を使用して、測定する土壤サンプル中の殺虫剤農薬を溶解・抽出し、高効率かつ高速で土壤サンプル中の抽出する組成を均一に十分に溶解できるだけでなく、高圧蒸気の温度を効果的に確保して、抽出する組成が高温によって分解されないようにし、検出実験の正確性を確保する。【選択図】図１【図１】
0006924344.tif 000006
【図２】
0006924344.tif 000007
【図３】
0006924344.tif 000008
【図４】
0006924344.tif 000009
【図５】
0006924344.tif 000010
【図６】
0006924344.tif 000011
【図７】
0006924344.tif 000012